(57)【要約】  本発明は、通信分野に関し、即時通信装置及び方法を提供している。即時通信装置は、タッチ動作を表示するためのタッチ可能なスクリーンと、タッチ動作を検出するためのタッチ検出器と、タッチ動作に応じて、タッチ動作に対応する制御命令を発するための動作解釈器と、音声録音命令に応じて録音を開始し、音声送信命令に応じて録音を停止して現在録音した音声を即時通信画面上における受信先に送信するための音声録音器と、を含む。本発明による即時通信装置は、上述した構造により、音声通信のブラインド操作を達成しているため、ユーザーが俯いて即時通信装置を操作する回数を０回程度にし、操作の利便性を大幅に向上させており、運転を例にすると、更に、運転の危険性を効果的に低減させる。【選択図】図２
2019507404.tif 000002
【特許請求の範囲】
【請求項１】
即時通信画面を表示するためのスクリーンであって、ユーザーからのタッチ動作を受け付けることができるタッチ可能なスクリーンと、
前記タッチ可能なスクリーンにおけるユーザーの前記タッチ動作であって、音声録音動作と音声送信動作とを含むタッチ動作を検出するタッチ検出器と、
前記タッチ動作に応じて、前記タッチ動作に対応する制御命令を発すると共に、前記タッチ動作が前記音声録音動作である場合、対応する制御命令を音声録音命令とし、前記タッチ動作が前記音声送信動作である場合、対応する制御命令を音声送信命令する動作解釈器と、
前記音声録音命令に応じて録音を開始し、前記音声送信命令に応じて録音を停止して現在録音した音声を前記即時通信画面上における受信先に送信する音声録音器と、を含む、
ことを特徴とする即時通信装置。
【請求項２】
前記音声録音動作は、ユーザーが前記即時通信画面の何れかの位置で前記タッチ可能なスクリーンを所定時間まで押し続けて形成されるものであり、
前記音声送信動作は、前記音声録音命令を発した後に、ユーザーが現在位置で前記タッチ可能なスクリーンを引き続き押してから離すことで形成されるものである、
ことを特徴とする請求項１に記載の即時通信装置。
【請求項３】
前記音声録音動作は、ユーザーが前記即時通信画面の何れかの位置で前記タッチ可能なスクリーンを所定時間まで押し続けてから、複数回に亘って前記タッチ可能なスクリーンを連続クリックして形成されるものであり、前記連続クリックは、同じ位置又はほぼ同じ位置に２回以上連続するクリックであり、
前記音声送信動作は、前記音声録音命令を発した後に、ユーザーが前記即時通信画面の何れかの位置で前記タッチ可能なスクリーンを押してから離して形成されるものであり、
前記連続クリックの回数は、６回以内であり、
２回の前記連続クリックの時間間隔は、１秒、１秒以下、又は、０．５秒以下である、
ことを特徴とする請求項１に記載の即時通信装置。
【請求項４】
録音プロンプト命令に応じて、ユーザーにプロンプト信号を発するプロンプタを更に含み、
前記動作解釈器は、前記音声録音動作に応じて、前記録音プロンプト命令を発するように更に構成され、
前記録音プロンプト命令と前記音声録音命令とが、前記動作解釈器によって同時に発せられる、
ことを特徴とする請求項１に記載の即時通信装置。
【請求項５】
前記プロンプタは、
前記録音プロンプト命令に応じて、前記即時通信画面において、所定のプロンプト図形を提示するための図形プロンプト手段であって、前記プロンプト図形が、前記現在位置を中心とした仮想ボタンとされ、前記仮想ボタンが、円形仮想ボタン、正方形仮想ボタン又は長方形仮想ボタンとされる前記図形プロンプト手段、
前記録音プロンプト命令に応じて、前記タッチ可能なスクリーンを振動させるための振動プロンプト手段、及び／又は、
前記録音プロンプト命令に応じて、プロンプト音を出すためのオーディオプロンプト手段、を含む
ことを特徴とする請求項４に記載の即時通信装置。
【請求項６】
前記タッチ動作には、送信取消動作が更に含まれ、その対応する制御命令は送信取消命令であり、
前記音声録音器は、前記送信取消命令に応じて、録音を停止し、且つ前記音声送信操作を実行しない、
ことを特徴とする請求項１に記載の即時通信装置。
【請求項７】
前記送信取消動作は、前記音声録音命令を発した後に、ユーザーが前記タッチ可能なスクリーンで実行した前記現在位置から他の位置へのスライド操作、又は、前記現在位置から他の位置へ任意方向に沿ったスライド操作である、
ことを特徴とする請求項６に記載の即時通信装置。
【請求項８】
録音プロンプト命令に応じて、前記即時通信画面において、前記現在位置を中心とした仮想ボタンを提示する図形プロンプト手段を更に含み、
前記送信取消動作は、前記現在位置から任意方向に沿って前記仮想ボタン以外までスライドしたスライド操作であり、
前記仮想ボタンは、円形仮想ボタン、正方形仮想ボタン又は長方形仮想ボタンである、
ことを特徴とする請求項７に記載の即時通信装置。
【請求項９】
前記音声録音動作は、ユーザーが前記即時通信画面の何れかの位置で前記タッチ可能なスクリーンを所定時間まで押し続けて形成されるものであり、
前記音声送信動作は、前記音声録音命令を発した後に、ユーザーが現在位置で前記タッチ可能なスクリーンを引き続き押してから離すことで形成されるものであり、
前記送信取消動作と前記音声録音動作は、前記タッチ可能なスクリーンを離さないままで連続して実行された動作である
ことを特徴とする請求項７又は８に記載の即時通信装置。
【請求項１０】
録音された音声のＳＮ比を判定するための音声判定器と、
前記ＳＮ比が予め定められた閾値未満である場合に、前記音声送信動作に応じて、前記即時通信画面において、録音した音声を送信することに同意するか否かを示す確認命令であって、ユーザーにより手動で入力された確認命令を受け付けるための確認ウィンドウを生成するウィンドウ生成器を更に含み、
前記音声録音器は、前記ＳＮ比が前記予め定められた閾値未満である場合に、送信に同意した旨のユーザーにより入力された確認命令に応じて、現在録音した音声を前記即時通信画面上における受信先に送信するように更に構成される
ことを特徴とする請求項１乃至９の何れかに記載の即時通信装置。
【請求項１１】
受信された特定の音声に対するユーザーの聴取回数を記録するための聴取状態器と、
前記聴取回数を前記特定の音声の送信元の即時通信画面に同期させるための同期器と、を更に含む
ことを特徴とする請求項１乃至１０の何れかに記載の即時通信装置。
【請求項１２】
即時通信画面を表示するためのスクリーンであって、ユーザーからのタッチ動作を受け付けることができるタッチ可能なスクリーン付きの装置に適用される即時通信方法であって、
前記タッチ可能なスクリーンにおけるユーザーの前記タッチ動作であって、音声録音動作と音声送信動作を含むタッチ動作を検出するタッチ検出ステップと、
前記タッチ動作に応じて、前記タッチ動作に対応する制御命令を発する動作解釈ステップであって、前記タッチ動作が前記音声録音動作である場合、対応する制御命令が音声録音命令とされ、前記タッチ動作が前記音声送信動作である場合、対応する制御命令が音声送信命令とされる動作解釈ステップと、
前記音声録音命令に応じて録音を開始し、前記音声送信命令に応じて録音を停止して現在録音した音声を前記即時通信画面上における受信先に送信する音声録音ステップと、に従って操作する、
ことを特徴とする即時通信方法。
【請求項１３】
前記音声録音動作は、ユーザーが前記即時通信画面の何れかの位置で前記タッチ可能なスクリーンを所定時間まで押し続けて形成されるものであり、
前記音声送信動作は、前記音声録音命令を発した後に、ユーザーが現在位置で前記タッチ可能なスクリーンを引き続き押してから離して形成されるものである
ことを特徴とする請求項１２に記載の即時通信方法。
【請求項１４】
前記音声録音動作は、ユーザーが前記即時通信画面の何れかの位置で前記タッチ可能なスクリーンを所定時間まで押し続けてから、複数回に亘って前記タッチ可能なスクリーンを連続クリックして形成されるものであり、前記連続クリックとは、同じ位置又はほぼ同じ位置に２回以上連続して当たったクリックのことを指し、
前記音声送信動作は、前記音声録音命令を発した後に、ユーザーが前記即時通信画面の何れかの位置で前記タッチ可能なスクリーンを押してから離して形成されるものであり、
前記連続クリックの回数は、６回以内であり、
２回の前記連続クリックの時間間隔は、１秒、１秒以下、又は、０．５秒以下である、
ことを特徴とする請求項１２に記載の即時通信方法。
【請求項１５】
録音プロンプト命令に応じて、ユーザーにプロンプト信号を発するプロンプトステップを更に含み、
前記動作解釈ステップは、前記音声録音動作に応じて、前記録音プロンプト命令を発するように更に構成され、
前記録音プロンプト命令と前記音声録音命令が、前記動作解釈ステップによって同時に発せられる、
ことを特徴とする請求項１２に記載の即時通信方法。
【請求項１６】
前記プロンプトステップは、
前記録音プロンプト命令に応じて、前記即時通信画面において、所定のプロンプト図形を提示する図形プロンプトステップであって、前記プロンプト図形が、前記現在位置を中心とした仮想ボタンとされ、前記仮想ボタンが、円形仮想ボタン、正方形仮想ボタン又は長方形仮想ボタンとされる図形プロンプトステップ、
前記録音プロンプト命令に応じて、前記タッチ可能なスクリーンを振動させる振動プロンプトステップ、及び／又は、
前記録音プロンプト命令に応じて、プロンプト音を出すオーディオプロンプトステップ、を含む
ことを特徴とする請求項１５に記載の即時通信方法。
【請求項１７】
前記タッチ動作には、送信取消動作が更に含まれ、その対応する制御命令は送信取消命令であり、
前記音声録音ステップは、前記送信取消命令に応じて、録音を停止し、且つ前記音声送信操作を実行しない
ことを特徴とする請求項１２に記載の即時通信方法。
【請求項１８】
前記送信取消動作は、前記音声録音命令を発した後に、ユーザーが前記タッチ可能なスクリーンで実行した前記現在位置から他の位置へのスライド操作、又は、前記現在位置から他の位置へ任意方向に沿ったスライド操作である、
ことを特徴とする請求項１７に記載の即時通信方法。
【請求項１９】
前記録音プロンプト命令に応じて、前記即時通信画面において、前記現在位置を中心とした仮想ボタンを提示する図形プロンプトステップを更に含み、
前記送信取消動作は、前記現在位置から任意方向に沿って前記仮想ボタン以外までスライドしたスライド操作であり、
前記仮想ボタンは、円形仮想ボタン、正方形仮想ボタン又は長方形仮想ボタンとされる、
ことを特徴とする請求項１８に記載の即時通信方法。
【請求項２０】
前記音声録音動作は、ユーザーが前記即時通信画面の何れかの位置で前記タッチ可能なスクリーンを所定時間まで押し続けて形成されるものであり、
前記音声送信動作は、前記音声録音命令を発した後に、ユーザーが現在位置で前記タッチ可能なスクリーンを引き続き押してから離して形成されるものであり、
前記送信取消動作と前記音声録音動作は、前記タッチ可能なスクリーンを離さないままで連続して実行された動作である
ことを特徴とする請求項１８又は１９に記載の即時通信方法。
【請求項２１】
録音された音声のＳＮ比を判定する音声判定ステップと、
前記ＳＮ比が予め定められた閾値未満である場合に、前記音声送信動作に応じて、前記即時通信画面において、録音した音声を送信することに同意するか否かを示す確認命令であって、ユーザーにより手動で入力された確認命令を受け付けるための確認ウィンドウを生成するウィンドウ生成ステップと、を更に含み、
前記音声録音ステップは、前記ＳＮ比が前記予め定められた閾値未満である場合に、送信に同意した旨のユーザーにより入力された確認命令に応じて、現在録音した音声を前記即時通信画面上における受信先に送信するように更に構成される、
ことを特徴とする請求項１２乃至〜２０の何れかに記載の即時通信方法。
【請求項２２】
受信された特定の音声に対するユーザーの聴取回数を記録する聴取状態ステップと、
前記聴取回数を前記特定の音声の送信元の即時通信画面に同期させるための同期ステップと、を更に含む
ことを特徴とする請求項１２乃至２１の何れかに記載の即時通信方法。
【発明の詳細な説明】
【技術分野】
【０００１】
本発明は、通信技術分野に関し、特に、即時通信装置及び方法に関する。
【背景技術】
【０００２】
モバイル通信技術の発達に伴い、即時通信装置及び方法の応用がますます広がっており、過去の文字メッセージから現在の音声メッセージまで徐々に普及してきている。例えば、微信（Wechat）やワッツアップ等は、モバイル端末のユーザーに人気が出ている。
【０００３】
音声メッセージは文字メッセージ機能に取って代わるものである。音声メッセージ機能は、トランシーバーを模倣する会話モードを用いており、キーを押すと録音し、キーを離すと送信するという仕組みにより、即時通信の楽しさをユーザーに体験させている。この仕組みは、ユーザーによる文字入力を減らすことを可能にするだけではなく、例えば運転等の場合にユーザーが即時通信を便利に使用することを可能にしており、即時通信の利便性を向上させ、更に、ユーザーの使用体験を向上させる。
【発明の概要】
【発明が解決しようとする課題】
【０００４】
しかしながら、従来の即時通信装置及び方法による音声メッセージ送信は、特定の位置で仮想ボタンをクリックして操作する必要がある。このため、ユーザーは、正しい位置をクリックするためにスクリーンを見なければならず、ある程度、ユーザーに使用時の混乱が生じ、俯いて操作する回数が増加し、運転を例にすると、運転中の操作の危険性が高まってしまう。
【０００５】
本発明の目的は、ユーザーによるブラインド操作を実現できる即時通信装置を提供することにある。
【０００６】
本発明のさらなる目的は、ユーザーによるブラインド操作を実現できる即時通信方法を提供することにある。
【課題を解決するための手段】
【０００７】
特に、本発明による即時通信装置は、
即時通信画面を表示するためのスクリーンであって、ユーザーからのタッチ動作を受け付けることができるタッチ可能なスクリーンと、
前記タッチ可能なスクリーンにおけるユーザーの前記タッチ動作であって、音声録音動作と音声送信動作を含むタッチ動作を検出するためのタッチ検出器と、
前記タッチ動作に応じて、前記タッチ動作に対応する制御命令を発する動作解釈器であって、前記タッチ動作が前記音声録音動作である場合、対応する制御命令が音声録音命令とされ、前記タッチ動作が前記音声送信動作である場合、対応する制御命令が音声送信命令とされる動作解釈器と、
前記音声録音命令に応じて録音を開始し、前記音声送信命令に応じて録音を停止して現在録音した音声を前記即時通信画面上における受信先に送信するための音声録音器と、を含む。
【０００８】
さらに、前記音声録音動作は、ユーザーが前記即時通信画面の何れかの位置で前記タッチ可能なスクリーンを所定時間まで押し続けて形成されるものであり、
前記音声送信動作は、前記音声録音命令を発した後に、ユーザーが現在位置で前記タッチ可能なスクリーンを引き続き押してから離して形成されるものである。
【０００９】
さらに、前記音声録音動作は、ユーザーが前記即時通信画面の何れかの位置で前記タッチ可能なスクリーンを所定時間まで押し続けてから、複数回に亘って前記タッチ可能なスクリーンを連続クリックして形成されるものであり、前記連続クリックとは、同じ位置又はほぼ同じ位置に２回以上連続して当たったクリックのことを指し、
前記音声送信動作は、前記音声録音命令を発した後に、ユーザーが前記即時通信画面の何れかの位置で前記タッチ可能なスクリーンを押してから離して形成されるものであり、
連続クリックの回数は、６回以内であってもよく、
２回の連続クリックの時間間隔は、１秒であってもよく、又は、１秒以下であってもよいが、０．５秒以下であることが好ましい。
【００１０】
さらに、前記の即時通信装置は、
録音プロンプト命令に応じて、ユーザーにプロンプト信号を発するプロンプタを更に含み、
前記動作解釈器は、前記音声録音動作に応じて、前記録音プロンプト命令を発するように更に構成され、
前記録音プロンプト命令と前記音声録音命令が、前記動作解釈器によって同時に発せられてもよい。
【００１１】
さらに、前記プロンプタは、
前記録音プロンプト命令に応じて、前記即時通信画面において、所定のプロンプト図形を提示するための図形プロンプト手段であって、前記プロンプト図形が、前記現在位置を中心とした仮想ボタンとされてもよく、前記仮想ボタンが、円形仮想ボタン、正方形仮想ボタン又は長方形仮想ボタンとされてもよい図形プロンプト手段、
前記録音プロンプト命令に応じて、前記タッチ可能なスクリーンを振動させるための振動プロンプト手段、及び／又は、
前記録音プロンプト命令に応じて、プロンプト音を出すためのオーディオプロンプト手段、を含む。
【００１２】
さらに、前記タッチ動作には、送信取消動作が更に含まれ、その対応する制御命令は送信取消命令であり、
前記音声録音器は、前記送信取消命令に応じて、録音を停止し、且つ前記音声送信操作を実行しない。
【００１３】
さらに、前記送信取消動作は、前記音声録音命令を発した後に、ユーザーが前記タッチ可能なスクリーンで実行した前記現在位置から他の位置へのスライド操作であり、前記送信取消動作は、前記現在位置から他の位置へ任意方向に沿ったスライド操作であってもよい。
【００１４】
さらに、前記の即時通信装置は、
前記録音プロンプト命令に応じて、前記即時通信画面において、前記現在位置を中心とした仮想ボタンを提示するための図形プロンプト手段を更に含み、
前記送信取消動作は、前記現在位置から任意方向に沿って前記仮想ボタン以外までスライドしたスライド操作であり、
前記仮想ボタンは、円形仮想ボタン、正方形仮想ボタン又は長方形仮想ボタンとされてもよい。
【００１５】
さらに、前記音声録音動作は、ユーザーが前記即時通信画面の何れかの位置で前記タッチ可能なスクリーンを所定時間まで押し続けて形成されるものであり、
前記音声送信動作は、前記音声録音命令を発した後に、ユーザーが現在位置で前記タッチ可能なスクリーンを引き続き押してから離して形成されるものであり、
前記送信取消動作と前記音声録音動作は、前記タッチ可能なスクリーンを離さないままで連続して実行された動作である。
【００１６】
さらに、前記即時通信装置は、
録音された音声のＳＮ比を判定するための音声判定器と、
前記ＳＮ比が予め定められた閾値未満である場合に、前記音声送信動作に応じて、前記即時通信画面において、録音した音声を送信することに同意するか否かを示す確認命令であって、ユーザーにより手動で入力された確認命令を受け付けるための確認ウィンドウを生成するためのウィンドウ生成器と、を更に含み、
前記音声録音器は、前記ＳＮ比が前記予め定められた閾値未満である場合に、送信に同意した旨のユーザーにより入力された確認命令に応じて、現在録音した音声を前記即時通信画面上における受信先に送信するように更に構成される。
【００１７】
さらに、前記即時通信装置は、
受信された特定の音声に対するユーザーの聴取回数を記録するための聴取状態器と、
前記聴取回数を前記特定の音声の送信元の即時通信画面に同期させるための同期器と、を更に含む。
【００１８】
本発明は、即時通信画面を表示するためのスクリーンであって、ユーザーからのタッチ動作を受け付けることができるタッチ可能なスクリーン付きの装置に適用される即時通信方法を更に提供しており、前記即時通信方法は、
前記タッチ可能なスクリーンにおけるユーザーの前記タッチ動作であって、音声録音動作と音声送信動作を含むタッチ動作を検出するタッチ検出ステップと、
前記タッチ動作に応じて、前記タッチ動作に対応する制御命令を発する動作解釈ステップであって、前記タッチ動作が前記音声録音動作である場合、対応する制御命令が音声録音命令とされ、前記タッチ動作が前記音声送信動作である場合、対応する制御命令が音声送信命令とされる動作解釈ステップと、
前記音声録音命令に応じて録音を開始し、前記音声送信命令に応じて録音を停止して現在録音した音声を前記即時通信画面における受信先に送信する音声録音ステップと、に従って操作する。
【００１９】
さらに、前記音声録音動作は、ユーザーが前記即時通信画面の何れかの位置で前記タッチ可能なスクリーンを所定時間まで押し続けて形成されるものであり、
音声送信動作は、前記音声録音命令を発した後に、ユーザーが現在位置で前記タッチ可能なスクリーンを引き続き押してから離して形成されるものである。
【００２０】
さらに、前記音声録音動作は、ユーザーが前記即時通信画面の何れかの位置で前記タッチ可能なスクリーンを所定時間まで押し続けてから、複数回に亘って前記タッチ可能なスクリーンを連続クリックして形成されるものであり、前記連続クリックとは、同じ位置又はほぼ同じ位置に２回以上連続して当たったクリックのことを指し、
前記音声送信動作は、前記音声録音命令を発した後に、ユーザーが前記即時通信画面の何れかの位置で前記タッチ可能なスクリーンを押してから離して形成されるものであり、
連続クリックの回数は、６回以内であってもよく、
２回の連続クリックの時間間隔は、１秒であってもよく、又は、１秒以下であってもよいが、０．５秒以下であることが好ましい。
【００２１】
さらに、前記の即時通信方法は、
録音プロンプト命令に応じて、ユーザーにプロンプト信号を発するプロンプトステップを更に含み、
前記動作解釈ステップは、前記音声録音動作に応じて、前記録音プロンプト命令を発するように更に構成され、
前記録音プロンプト命令と前記音声録音命令が、前記動作解釈ステップによって同時に発せられてもよい。
【００２２】
さらに、前記プロンプトステップは、
前記録音プロンプト命令に応じて、前記即時通信画面において、所定のプロンプト図形を提示する図形プロンプトステップであって、前記プロンプト図形が、前記現在位置を中心とした仮想ボタンとされてもよく、前記仮想ボタンが、円形仮想ボタン、正方形仮想ボタン又は長方形仮想ボタンとされてもよい図形プロンプトステップ、
前記録音プロンプト命令に応じて、前記タッチ可能なスクリーンを振動させる振動プロンプトステップ、及び／又は、
前記録音プロンプト命令に応じて、プロンプト音を出すオーディオプロンプトステップ、を含む。
【００２３】
さらに、前記タッチ動作には、送信取消動作が更に含まれ、その対応する制御命令は送信取消命令であり、
前記音声録音ステップは、前記送信取消命令に応じて、録音を停止し、且つ前記音声送信操作を実行しない。
【００２４】
さらに、前記送信取消動作は、前記音声録音命令を発した後に、ユーザーが前記タッチ可能なスクリーンで実行した前記現在位置から他の位置へのスライド操作であり、
前記送信取消動作は、前記現在位置から他の位置へ任意方向に沿ったスライド操作であってもよい。
【００２５】
さらに、前記即時通信方法は、
前記録音プロンプト命令に応じて、前記即時通信画面において、前記現在位置を中心とした仮想ボタンを提示する図形プロンプトステップを更に含み、
前記送信取消動作は、前記現在位置から任意方向に沿って前記仮想ボタン以外までスライドしたスライド操作であり、
前記仮想ボタンは、円形仮想ボタン、正方形仮想ボタン又は長方形仮想ボタンとされてもよい。
【００２６】
さらに、前記音声録音動作は、ユーザーが前記即時通信画面の何れかの位置で前記タッチ可能なスクリーンを所定時間まで押し続けて形成されるものであり、
前記音声送信動作は、前記音声録音命令を発した後に、ユーザーが現在位置で前記タッチ可能なスクリーンを引き続き押してから離して形成されるものであり、
前記送信取消動作と前記音声録音動作は、前記タッチ可能なスクリーンを離さないままで連続して実行された動作である。
【００２７】
さらに、前記即時通信方法は、
録音された音声のＳＮ比を判定する音声判定ステップと、
前記ＳＮ比が予め定められた閾値未満である場合に、前記音声送信動作に応じて、前記即時通信画面において、録音した音声を送信することに同意するか否かを示す確認命令であって、ユーザーにより手動で入力された確認命令を受け付けるための確認ウィンドウを生成するウィンドウ生成ステップと、を更に含み、
前記音声録音ステップは、前記ＳＮ比が前記予め定められた閾値未満である場合に、送信に同意した旨のユーザーにより入力された確認命令に応じて、現在録音した音声を前記即時通信画面における受信先に送信するように更に構成される。
【００２８】
さらに、前記即時通信方法は、
受信された特定の音声に対するユーザーの聴取回数を記録する聴取状態ステップと、
前記聴取回数を前記特定の音声の送信元の即時通信画面に同期させるための同期ステップと、を更に含む。
【発明の効果】
【００２９】
本発明による即時通信装置は、タッチ検出器、動作解釈器及び音声録音器により、ユーザーが即時通信画面の何れかの位置で押し続けると音声録音を実現し、ユーザーが現在位置でタッチ可能なスクリーンを引き続き押してから離すと音声送信を実現することで、音声通信のブラインド操作を達成している。このため、ユーザーが俯いて即時通信装置を操作する回数を０回程度にし、操作の利便性を大幅に向上させており、運転を例にすると、更に、運転の危険性を効果的に低減させる。
【００３０】
本発明による即時通信方法は、タッチ検出ステップ、動作解釈ステップ及び音声録音ステップにより、ユーザーが即時通信画面の何れかの位置で押し続けると音声録音を実現し、ユーザーが現在位置でタッチ可能なスクリーンを引き続き押してから離すと音声送信を実現することで、音声通信のブラインド操作を達成している。このため、ユーザーが俯いて即時通信装置を操作する回数を０回程度にし、操作の利便性を大幅に向上させており、運転を例にすると、更に、運転の危険性を効果的に低減させる。
【００３１】
本発明の上記およびその他の目的、利点および特徴は、図面を参照して本発明の具体的な実施例になされた以下の詳細な説明から、当業者にはより明らかになるであろう。
【図面の簡単な説明】
【００３２】
以下、本発明のいくつかの具体的な実施例を、限定ではなく例示として詳細に説明する。図面には、同一又は類似の部品や部分に同じ参照符号が付けられている。当業者であれば、これらの図面は、必ずしも縮尺通りに描かれていないことを理解すべきである。
【図１】図１は、本発明の一実施例による即時通信装置が携帯電話に搭載された模式的な取付け図である。
【図２】図２は、本発明の一実施例による即時通信装置のロジック制御図である。
【図３】図３は、本発明のもう１つの実施例による即時通信方法の操作フローチャートである。
【発明を実施するための形態】
【００３３】
実施例１
図１は、本発明の一実施例による即時通信装置が携帯電話に搭載された模式的な取付け図である。図２は、本発明の一実施例による即時通信装置のロジック制御図である。本実施例は、主に図２を中心に説明するが、図１を参照してもよい。
【００３４】
即時通信装置１００には、一般的に、タッチ可能なスクリーン１０（図１参照）と、タッチ検出器２０と、動作解釈器３０と、音声録音器４０とが含まれる。タッチ可能なスクリーン１０は、即時通信画面を表示するためのスクリーンであって、ユーザーからのタッチ動作を受け付けることができる。タッチ検出器２０は、タッチ可能なスクリーン１０におけるユーザーのタッチ動作を検出するためのものであり、当該タッチ動作は、音声録音動作と音声送信動作を含む。
【００３５】
本実施例において、上記音声録音動作は、ユーザーが即時通信画面の何れかの位置でタッチ可能なスクリーン１０を所定時間まで押し続けることで形成されるものである。上記音声送信動作は、音声録音命令を発した後に、ユーザーが現在位置でタッチ可能なスクリーン１０を引き続き押してから離すことで形成されるものである。
【００３６】
動作解釈器３０は、上記タッチ動作に応じて、タッチ動作に対応する制御命令を発するためのものである。タッチ動作が上記音声録音動作である場合、対応する制御命令は音声録音命令とされる。タッチ動作が上記音声送信動作である場合、対応する制御命令は音声送信命令とされる。
【００３７】
音声録音器４０は、上記音声録音命令に応じて録音を開始し、上記音声送信命令に応じて録音を停止して、現在録音した音声を即時通信画面上における受信先に送信するためのものである。
【００３８】
【表１】
2019507404.tif 000003
【００３９】
表１は、タッチ検出器２０と、動作解釈器３０と、音声録音器４０との対応関係表である。図２を参照して、本実施例では、モバイル端末のうち携帯電話を例にして説明する。ユーザーの指、又は、例えばタッチペンのようなタッチ道具で、携帯電話のタッチ可能なスクリーン１０の何れかの位置を、例えば１秒以上となる所定時間Ｔまで押し続ける。すると、タッチ検出器２０が、ユーザーのタッチ動作を音声録音動作として検出し、動作解釈器３０が、対応する音声録音命令を発し、音声録音器４０が、録音を開始する。ユーザーの指、又は、例えばタッチペンのようなタッチ道具で、携帯電話のタッチ可能なスクリーン１０を押し続けてからタッチ可能なスクリーン１０から離すと、タッチ検出器２０が、ユーザーのタッチ動作を音声送信動作として検出し、動作解釈器３０が、対応する音声送信命令を発し、音声録音器４０が、録音を停止して現在録音した音声を受信先に送信するようにする。
【００４０】
本発明の即時通信装置１００は、タッチ検出器２０、動作解釈器３０及び音声録音器４０により、ユーザーが即時通信画面の何れかの位置で押し続けることで音声録音を実現し、ユーザーが現在位置でタッチ可能なスクリーン１０を引き続き押してから離すことで音声送信を実現する。これにより、ユーザーがスクリーンを見て録音キーを探すことがなく、音声通信のブラインド操作を達成しているため、ユーザーが俯いて即時通信装置１００を操作する回数をゼロにし、操作の利便性を大幅に向上させており、運転を例にすると、更に運転の危険性を効果的に低減させる。
【００４１】
図１を参照すると、もう１つの実施例において、上記音声録音動作は、ユーザーが即時通信画面の何れかの位置でタッチ可能なスクリーン１０を所定時間まで押し続けてから、複数回に亘ってタッチ可能なスクリーンを連続クリックすることで形成されるものである。上記連続クリックとは、同じ位置又はほぼ同じ位置に２回以上連続して指を当ててクリックすることを指す。好ましくは、連続クリックの回数は、６回以内である。２回の連続クリックの時間間隔は、１秒であるか、又は、１秒以下であり、好ましくは、０．５秒以下である。勿論、他の実施例において、押し続けるという目的を達成できれば、他の連続クリック時間、及び、該当する時間間隔を選択してもよい。上記音声送信動作は、音声録音命令を発した後に、ユーザーが即時通信画面の何れかの位置でタッチ可能なスクリーン１０を押してから離すことで形成されるものである。
【００４２】
本実施例は、上述した操作により、音声通信のブラインド操作を実現することで、ユーザーが俯いて即時通信装置１００を操作する回数をゼロ程度にし、操作の利便性を大幅に向上させることができる。運転を例にすると、更に、運転の危険性を効果的に低減させるだけではなく、ハンズフリー操作を実現しており、即時通信装置の利便性及び操作のしやすさをより一層に向上させる。
【００４３】
図２を参照すると、さらに、本実施例において、上述した即時通信装置１００は、録音プロンプト命令に応じて、ユーザーにプロンプト信号を発するプロンプタ５０を含む。上記動作解釈器３０は、音声録音動作に応じて、録音プロンプト命令を発するように更に構成される。上記録音プロンプト命令と上記音声録音命令とは、動作解釈器３０によって同時に発せられてもよい。
【００４４】
本実施例では、音声を録音する前にプロンプタを発することにより、ユーザーがいつ録音を開始するか分からずに早いタイミングで話してしまうことで話した先頭部分が録音されない、という問題を解決し、ユーザー体験を向上させる。
【００４５】
図２に示すように、さらに、上記プロンプタ５０は、図形プロンプト手段、振動プロンプト手段、及び／又は、オーディオプロンプト手段を含む。プロンプタ５０は、単一の図形プロンプト手段、振動プロンプト手段、又は、オーディオプロンプト手段であってもよいし、図形プロンプト手段と振動プロンプト手段とであってもよいし、図形プロンプト手段とオーディオプロンプト手段とであってもよいし、振動プロンプト手段とオーディオプロンプト手段とであってもよいし、図形プロンプト手段と振動プロンプト手段とオーディオプロンプト手段とであってもよい。
【００４６】
上記図形プロンプト手段は、録音プロンプト命令に応じて、即時通信画面において、所定のプロンプト図形を提示するためのものである。プロンプト図形は、現在位置を中心とした仮想ボタン５１である。また更に、仮想ボタン５１は、円形仮想ボタン、正方形仮想ボタン又は長方形仮想ボタンである。より具体的に、円形仮想ボタンは、半径が５ｍｍ以上となる円形アイコンであってもよく、長方形仮想ボタンは、携帯電話と同じアスペクト比の長方形アイコンであってもよい。当業者であれば分かるように、仮想ボタン５１の形状は、上述した形状に限定されず、実用的且つ美観的という要件を満たせば、どのような形状であってもよい。
【００４７】
上記振動プロンプト手段は、録音プロンプト命令に応じて、タッチ可能なスクリーン１０を振動させるためのものである。
【００４８】
上記オーディオプロンプト手段は、録音プロンプト命令に応じて、プロンプト音を出すためのものである。オーディオプロンプト手段によるプロンプト音は、内蔵のプロンプト音、ユーザー個別プロンプト音や、ユーザーがダウンロードしたプロンプト音等の様々なプロンプト音であってもよい。
【００４９】
【表２】
2019507404.tif 000004
【００５０】
表２は、タッチ検出器２０と、動作解釈器３０と、音声録音器４０とのさらなる対応関係表である。図２及び表２を参照すると、さらに、タッチ動作には、送信取消動作が含まれ、その対応する制御命令は送信取消命令であり、音声録音器４０は、送信取消命令に応じて、録音を停止し、且つ音声送信操作を実行しない。本実施例は、送信取消動作を追加することにより、即時通信装置１００の使用利便性を向上させる。なお、送信取消動作は、音声録音命令を発した後に、ユーザーがタッチ可能なスクリーン１０で実行した現在位置から他の位置へのスライド操作であったり、現在位置から他の位置へ任意方向に沿ったスライド操作であってもよい。
【００５１】
さらに、本実施例において、上記即時通信装置１００は、録音プロンプト命令に応じて、即時通信画面において、現在位置を中心とした仮想ボタン５１を提示するための図形プロンプト手段を更に含む。好ましくは、仮想ボタン５１は、円形仮想ボタン、正方形仮想ボタン又は長方形仮想ボタンである。また、上記送信取消動作は、現在位置から任意方向に沿って仮想ボタン５１以外までスライドしたスライド操作である。例えば、仮想ボタン５１が円形仮想ボタンである場合、送信取消動作は、現在位置から任意方向に沿って円形仮想ボタン以外までスライドしたスライド操作となる。好ましくは、指のスライド距離が１ｃｍ超になると、送信取消命令を有効にする。
【００５２】
また更に、本実施例において、上記音声録音動作は、ユーザーが即時通信画面の何れかの位置でタッチ可能なスクリーン１０を所定時間まで押し続けて形成されるものである。また、上記音声送信動作は、音声録音命令を発した後に、ユーザーが現在位置でタッチ可能なスクリーン１０を引き続き押してから離して形成されるものである。また、上記送信取消動作と上記音声録音動作は、タッチ可能なスクリーン１０を離さないままで連続して実行された動作である。
【００５３】
また更に、本実施例において、上記音声録音動作は、ユーザーが即時通信画面の何れかの位置でタッチ可能なスクリーン１０を所定時間まで押し続けてから、複数回に亘ってタッチ可能なスクリーンを連続クリックして形成されるものである。連続クリックとは、同じ位置又はほぼ同じ位置に２回以上連続してタッチするクリックのことを指す。また、音声送信動作は、音声録音命令を発した後に、ユーザーが即時通信画面の何れかの位置でタッチ可能なスクリーン１０を押してから離して形成されるものである。また、送信取消動作は、音声録音命令を発した後に、ユーザーが即時通信画面の何れかの位置で押した現在位置から他の位置へのスライド操作である。
【００５４】
図２を参照すると、さらに、上述した即時通信装置１００は、録音された音声のＳＮ比を判定するための音声判定器６０と、ＳＮ比が予め定められた閾値未満である場合に、音声送信動作に応じて、即時通信画面において、録音した音声を送信することに同意するか否かを示す確認命令であって、ユーザーにより手動で入力された確認命令を受け付けるための確認ウィンドウを生成するウィンドウ生成器７０と、を含む。上記音声録音器４０は、ＳＮ比が予め定められた閾値未満である場合に、送信に同意した旨のユーザーにより入力された確認命令に応じて、現在録音した音声を即時通信画面上における受信先に送信するように更に構成される。
【００５５】
本実施例は、モバイル端末のうち、携帯電話を例にして説明する。ユーザーがタッチ可能なスクリーン１０に意図せずにタッチして、即時通信装置１００の音声録音機能を有効にしてしまうと、即時通信装置１００により、録音した音声のＳＮ比を自動的に判定する。そして、ＳＮ比が予め定められた閾値未満である場合、即時通信装置１００は、録音を送信するか否かをユーザーに問う確認ウィンドウをポップアップし、録音を送信することに同意するか否かの確認命令をユーザーに手動で入力させる。これにより、ユーザーによる二次確認を追加し、誤操作の確率を低減させる。
【００５６】
さらに、図２を参照すると、本実施例において、上述した即時通信装置１００は、受信された特定の音声に対するユーザーの聴取回数を記録するための聴取状態器と、聴取回数を特定の音声の送信元の即時通信画面に同期させるための同期器と、を更に含む。
【００５７】
本実施例では、聴取状態器により、受信者の聴取回数を表示可能にし、同期器により、聴取回数を送信元に同期させることで、即時通信装置１００の使用利便性を更に向上させる。
【００５８】
さらに、図１に示すように、本実施例において、即時通信画面は、タッチ可能なスクリーン１０の表示領域の全体を占めている。勿論、他の実施例において、即時通信画面は、タッチ可能なスクリーン１０の表示領域の全体のうち、一部の表示領域を占めてもよい。
【００５９】
実施例２
図３は、本発明のもう１つの実施例による即時通信方法の操作フローチャートである。図３に示すように、本発明は、即時通信画面を表示するためのスクリーンであって、ユーザーからのタッチ動作を受け付けることができるタッチ可能なスクリーン１０（図１参照）付きの装置に適用される即時通信方法を更に提供している。
【００６０】
即時通信方法は、タッチ検出ステップＳ１０１と、動作解釈ステップＳ１０２と、音声録音ステップＳ１０３と、に従って操作するものである。
【００６１】
タッチ検出ステップＳ１０１は、タッチ可能なスクリーン１０（図１参照）でのユーザーのタッチ動作であって、音声録音動作と音声送信動作を含むタッチ動作を検出する。本実施例において、音声録音動作は、ユーザーが即時通信画面の何れかの位置でタッチ可能なスクリーン１０（図１参照）を所定時間まで押し続けて形成されるものである。また、音声送信動作は、音声録音命令を発した後に、ユーザーが現在位置でタッチ可能なスクリーン１０（図１参照）を引き続き押してから離して形成されるものである。
【００６２】
動作解釈ステップＳ１０２は、タッチ動作に応じて、当該タッチ動作に対応する制御命令を発する。タッチ動作が音声録音動作である場合、対応する制御命令が音声録音命令とされ、タッチ動作が音声送信動作である場合、対応する制御命令が音声送信命令とされる。
【００６３】
音声録音ステップＳ１０３は、音声録音命令に応じて録音を開始し、音声送信命令に応じて録音を停止して現在録音した音声を即時通信画面上における受信先に送信する。
【００６４】
本発明の即時通信方法は、タッチ検出ステップ、動作解釈ステップ及び音声録音ステップにより、ユーザーが即時通信画面の何れかの位置で押し続けると音声録音を実現し、ユーザーが現在位置でタッチ可能なスクリーン１０（図１参照）を引き続き押してから離すと音声送信を実現する。このように音声通信のブラインド操作を実現しているため、ユーザーが俯いて即時通信装置１００（図２参照）を操作する回数をゼロ程度にし、操作の利便性を大幅に向上させており、運転を例にすると、更に、運転の危険性を効果的に低減させる。
【００６５】
図１を参照すると、もう１つの実施例において、音声録音動作は、ユーザーが即時通信画面の何れかの位置でタッチ可能なスクリーン１０を所定時間まで押し続けてから、複数回に亘ってタッチ可能なスクリーンを連続クリックして形成されるものである。連続クリックとは、同じ位置又はほぼ同じ位置に２回以上連続してクリックすることを指す。好ましくは、連続クリックの回数は、６回以内である。２回の連続クリックの時間間隔は、１秒であるか、又は、１秒以下であり、好ましくは、０．５秒以下であることが好ましい。勿論、他の実施例において、押し続けるという目的を達成できれば、他の連続クリック時間、及び、該当する時間間隔を選択してもよい。音声送信動作は、音声録音命令を発した後に、ユーザーが即時通信画面の何れかの位置でタッチ可能なスクリーン１０を押してから離して形成されるものである。
【００６６】
本実施例は、上述した操作により、音声通信のブラインド操作を達成したことで、ユーザーが俯いて即時通信装置１００を操作する回数をゼロ程度にし、操作の利便性を大幅に向上させる。運転を例にすると、運転の危険性を効果的に低減させるだけではなく、ハンズフリー操作を実現しており、即時通信方法の利便性及び操作のしやすさをより一層に向上させる。
【００６７】
さらに、上述した即時通信方法は、録音プロンプト命令に応じて、ユーザーにプロンプト信号を発するプロンプトステップを更に含む。動作解釈ステップは、音声録音動作に応じて、録音プロンプト命令を発するように更に構成され、録音プロンプト命令と音声録音命令が、動作解釈ステップによって同時に発せられてもよい。
【００６８】
本実施例において、音声を録音する前にプロンプトステップを追加することにより、ユーザーがいつ録音を開始するか分からず、あまりにも早いタイミングで話してしまうことが発生してしまうことで、話した先頭部分が録音されない、という問題を解決し、ユーザー体験を向上させる。
【００６９】
さらに、上記プロンプトステップは、図形プロンプトステップ、振動プロンプトステップ、及び／又は、オーディオプロンプトステップを含む。図形プロンプトステップは、録音プロンプト命令に応じて、即時通信画面において、所定のプロンプト図形を提示する。プロンプト図形は、現在位置を中心とした仮想ボタン５１（図２参照）であってもよく、仮想ボタン５１（図２参照）は、円形仮想ボタン、正方形仮想ボタン又は長方形仮想ボタンであってもよい。
【００７０】
振動プロンプトステップは、録音プロンプト命令に応じて、タッチ可能なスクリーン１０（図１参照）を振動させる。オーディオプロンプトステップは、録音プロンプト命令に応じて、プロンプト音を出す。
【００７１】
さらに、タッチ動作には、送信取消動作が更に含まれ、その対応する制御命令は送信取消命令である。音声録音ステップは、送信取消命令に応じて、録音を停止し、且つ音声送信操作を実行しない。本実施例では、送信取消動作を追加することにより、即時通信方法の使用利便性を向上させる。
【００７２】
送信取消動作は、音声録音命令を発した後に、ユーザーがタッチ可能なスクリーン１０（図１参照）で実行した現在位置から他の位置へのスライド操作であったり、現在位置から他の位置へ任意方向に沿ったスライド操作である。
【００７３】
さらに、上述した即時通信方法は、録音プロンプト命令に応じて、即時通信画面において、現在位置を中心とした仮想ボタン５１（図２参照）を提示する図形プロンプトステップを含む。送信取消動作は、現在位置から任意方向に沿って仮想ボタン５１（図２参照）以外までスライドしたスライド操作であり、仮想ボタン５１（図２参照）は、円形仮想ボタン、正方形仮想ボタン又は長方形仮想ボタンであってもよい。
【００７４】
さらに、本実施例において、音声録音動作は、ユーザーが即時通信画面の何れかの位置でタッチ可能なスクリーン１０を所定時間まで押し続けて形成されるものである。音声送信動作は、音声録音命令を発した後に、ユーザーが現在位置でタッチ可能なスクリーン１０を引き続き押してから離して形成されるものである。送信取消動作と音声録音動作は、タッチ可能なスクリーン１０を離さないままで連続して実行された動作である。本実施例は、送信取消動作を追加することにより、即時通信方法の使用利便性を向上させる。
【００７５】
また更に、本実施例において、音声録音動作は、ユーザーが即時通信画面の何れかの位置でタッチ可能なスクリーン１０を所定時間まで押し続けてから、複数回に亘ってタッチ可能なスクリーンを連続クリックして形成されるものである。連続クリックとは、同じ位置又はほぼ同じ位置に２回以上連続して当てるクリックのことを指す。音声送信動作は、音声録音命令を発した後に、ユーザーが即時通信画面の何れかの位置でタッチ可能なスクリーン１０を押してから離して形成されるものである。送信取消動作は、音声録音命令を発した後に、ユーザーが即時通信画面の何れかの位置で押して実行した現在位置から他の位置へのスライド操作である。本実施例は、送信取消動作を追加することにより、即時通信方法の使用利便性を向上させる。
【００７６】
さらに、上述した即時通信方法は、録音された音声のＳＮ比を判定する音声判定ステップと、ＳＮ比が予め定められた閾値未満である場合に、音声送信動作に応じて、即時通信画面において、録音した音声を送信することに同意するか否かを示す確認命令であって、ユーザーにより手動で入力された確認命令を受け付けるための確認ウィンドウを生成するウィンドウ生成ステップと、を更に含む。音声録音ステップは、ＳＮ比が予め定められた閾値未満である場合に、送信に同意した旨のユーザーにより入力された確認命令に応じて、現在録音した音声を即時通信画面上における受信先に送信するように更に構成される。
【００７７】
本実施例により、ユーザーによる二次確認を追加し、誤操作の確率を低減させる。
【００７８】
さらに、上述した即時通信方法は、受信された特定の音声に対するユーザーの聴取回数を記録する聴取状態ステップと、聴取回数を特定の音声の送信元の即時通信画面に同期させるための同期ステップと、を更に含む。
【００７９】
本実施例は、聴取状態ステップにより、受信者の聴取回数を表示可能にし、同期ステップにより、聴取回数を送信元に同期させることで、即時通信方法の使用利便性を更に向上させる。
【００８０】
以上のように、本発明の複数の例示的な実施例を本明細書で詳しく示して説明したが、当業者であれば、本発明の精神および範囲から逸脱することなく、本発明の開示内容より、本発明の原理に従う多くの他の変形や修正を直接特定または導出可能であることを、認識すべきである。したがって、本発明の範囲は、そのような他の変形や修正の全てを含むものと理解され、認定されるべきである。
【図１】
2019507404.tif 000005
【図２】
2019507404.tif 000006
【図３】
2019507404.tif 000007
【国際調査報告】
2019507404.tif 000008
2019507404.tif 000009
2019507404.tif 000010
2019507404.tif 000011